(57)【要約】【課題】トイレや浴室の外に置いた車椅子から便器や浴槽との間の座位による移乗を可能にする。隠蔽性が確保でき、移乗に介護が必要な場合でも介護者の負担が小さく、かつ健常者が同一のトイレや浴室を支障なく使用できるようにする。【解決手段】トイレや浴室の壁面２に沿って設置され、座板７を壁面２に添設した状態で折り畳むことが可能な、座位で入口開口を通って室の外から内へと移動できる旋回移動台１０を提供する。トイレないし浴室の壁面２に座板７及び当該座板を支持するステイ５や脚８、９が添設された状態に折畳まれ、この折畳み状態で座板が当該トイレないし浴室の壁面側に位置し、座板７を展開したときに、当該座板が入口開口を越えて移動する。【選択図】図３
2010119458.tif 000002
【特許請求の範囲】
【請求項１】
入口開口(4)の一方の縦縁(4a)の内側に設置した固定の支持柱(25)の側方に当該支持柱回りに旋回可能に設置された座板(7)と、前記支持柱の前記座板の設置位置より上方の位置に上方に折畳み可能かつ旋回不能に設置されたグリップ(43)とを備え、当該座板が前記縦縁に隣接する壁面(2)に添設された状態に折畳まれ、この折畳み状態で前記座板が前記入口開口から前記壁面側に退避した位置となり、前記座板を水平に展開して前記入口開口側に旋回したときに当該座板の少なくとも前記入口開口側の部分が当該入口開口の外に進出する、トイレないし浴室の旋回移動台。
【請求項２】
前記座板(7)が、前記支持柱(25)回りに前記壁面(2)側に旋回したときに当該壁面に添設状態となる旋回桁(11)ないしこれと平行な前記座板の反壁面側を支持する前縁支持軸(19)回りに上方に回動して折畳まれる、請求項１記載の旋回移動台。
【請求項３】
前記グリップの支持機構(B)が、前記支持柱に回動不能に挿通されて当該グリップの折畳み時に上動し展開時に下降する昇降筒(52)を備え、当該昇降筒はその下降位置で前記座板の旋回支持機構(A)と相対回動不能に当接ないし係合する、請求項１又は２記載の旋回移動台。
【請求項４】
前記旋回支持機構が前記支持柱に自由回動可能かつ下降不能に嵌装された回転筒(13)を備え、前記昇降筒が当該回転筒の上端に当接ないし係合してその下降端が規定されることにより、前記グリップの展開位置が規定される、請求項３記載の旋回移動台。
【請求項５】
複数の前記グリップを備え、当該複数のグリップの支持機構が一個の前記昇降筒を共有している、請求項３又は４記載の旋回移動台。
【請求項６】
前記座板(7)が、前記支持柱から軸直角方向に伸びる旋回桁(11)回りに上方に回動しかつ当該旋回桁及び前記支持柱と直交する直交ピン(31)回りに上方に回動して折畳まれる、請求項１から５のいずれか一に記載の旋回移動台。
【発明の詳細な説明】
【技術分野】
【０００１】
この発明は、車椅子から座位でトイレの便座や浴室用椅子に移動できるようにした旋回移動台に関するものである。
【背景技術】
【０００２】
下肢の障害や運動神経系の障害のために、あるいは加齢による筋力の低下によって歩行が困難になった者は車椅子を使用する。車椅子使用者は、日常生活において、ベッドと車椅子間、便器と車椅子間及び浴槽と車椅子間の移乗を必要とする。歩行が困難であっても、起立し旋回し静かに着座することができる者は、手すりなどを適切に設けることによって、これらの間での移乗を比較的円滑に行うことができる。
【０００３】
しかし、立上がりや静かに着座する動作を行うことも困難であるときは、座位のままこれらの間の移乗を行うことが必要になる。ベッドと車椅子の移乗においては、座位移乗の手段としてスライディングボードが使用されている。便器との間の移乗は、便器の両側に折畳み式の手すりを設けることにより、車椅子を便器に接近させた状態で座位移乗するようにしている。また、浴槽への移動は、車椅子から浴槽用の椅子に移乗して介護者が浴槽内へ移動させるのが一般的である。
【０００４】
歩行が困難な者であっても、自主的な日常生活を送るためには、これらの移乗をできるだけ自分一人で行えるようにすることが必要である。また、たとえ介護者の手を借りるにしても、介護者の負担をできるだけ軽減することが必要である。特に排泄のための便器への移乗については、できるだけ自分一人で行いたいという感情や排泄行為を人に見られたくないという感情が強く働く。
【０００５】
上述した手段で車椅子と便座との間の座位移乗を可能にするためには、車椅子を便器に隣接する位置まで接近させることが必要であり、便器の回りに広い空間が必要である。そのため、一般の家庭や事業所ではそのような広い空間を確保することが困難であり、可能であったとしてもトイレの改装に多大な費用を必要とする。そのため、一般の家庭では、立位による車椅子から便器への移乗が困難になると、ポータブル式の便器を使用せざるを得ない。また事業所では、立位による車椅子から便器への移乗ができない者を雇用できないという問題が起る。
【発明の開示】
【発明が解決しようとする課題】
【０００６】
しかし、ポータブル式の便器は、使用時にトイレのような隠蔽性が保障されないこと、居住空間に排泄物の臭いが漏れること、介護者がポータブルトイレ内の排泄物の廃棄を行わなければならないことなどの問題があって、ポータブル式の便器の使用には、特に精神的な苦痛が伴いやすく、生活の品質を大きく低下させる要因となりやすい。
【０００７】
また、事業所などでは、車椅子用トイレのないことが障害者の雇用の妨げとなり、車椅子使用者には、車椅子用トイレのある階や建物までいちいち移動しなければならないという問題がある。更に、立位を保持できない車椅子使用者が、介護者の手を借りないで、座位で車椅子から浴槽や浴室用椅子などに移乗することは困難である。
【０００８】
そこでこの発明は、狭い一般家庭や事業所のトイレや浴室に設置することにより、車椅子とトイレ内の便器や浴室内の浴槽ないし浴室用椅子との間の座位による移乗を可能にし、かつ排泄時や入浴時の隠蔽性が確保でき、車椅子使用者と健常者とが同一のトイレや浴室を支障なく使用することができる移動台を提供することを課題としている。
【課題を解決するための手段】
【０００９】
上記課題を解決したこの出願の発明に係る旋回移動台は、トイレ、手洗い室、浴室などの入口開口４の一方の縦縁４ａの内側に鉛直方向に設置した固定の支持柱２５回りに旋回可能に設置された座板７を備えている。座板７は、支持柱２５から軸直角方向に伸びる旋回桁１１ないしこれと平行な前縁支持軸１９回りに上方に回動することにより、縦縁４ａに隣接する壁面２に添設された状態に折畳まれる。この折畳み状態では、座板７全体が入口開口４から壁面２側に退避した位置となる。座板７を旋回桁１１ないし前縁支持軸１９回りに揺動して水平位置に展開して入口開口４側に旋回したとき、当該座板７の少なくとも入口開口４側の部分が入口開口４の外に進出する。
【００１０】
支持柱２５の座板７の設置位置より上方の位置には、上方に折畳み可能かつ支持柱２５に相対旋回不能に、一個又は複数個のグリップ４３が設けられている。グリップ４３は、基端回りに下方に揺動して展開したときに支持柱２５から略水平に伸び、車椅子から座板７への移乗及び座板７から便座２０や浴室用椅子への移乗の際に、移乗者が手で掴んだり腕を乗せて、身体を支えるためのものである。
【００１１】
グリップ支持機構Ｂは、展開されたグリップ４３を十分な強度をもって折畳み可能に支持する機構で、好ましいグリップ支持機構は、展開されたグリップの基端部と支持柱２５とで三角形を形成する連結杆５５を備えたものである。連結杆５５は、伸長可能な連結杆の両端をグリップ４３と支持柱２５に枢着するか、固定長の連結杆５５の両端をグリップ４３と支持柱２５に昇降自在に挿通した昇降筒５２に枢着することにより、グリップ４３を折畳み可能に支持することができる。前者の構造では、連結杆の最短長さを規定することにより、また後者の構造では、昇降筒５２の下降移動端を規定することにより、グリップ４３の展開位置が規定される。
【００１２】
後者の構造において、昇降筒５２の下降移動端を当該昇降筒と座板７の旋回支持機構Ａとの当接ないし係合により規定するようにすれば、グリップ４３の展開位置の規定とグリップを展開して当該グリップに力を加えたときの旋回支持機構Ａの旋回の固定、従って座板７の旋回の固定とを同時に行うことが可能である。グリップ４３を展開するのは座板７と車椅子や便座との間での移乗のときであり、このとき座板７が固定されていると移乗が容易になる。また、旋回移動時にはグリップ４３が邪魔になるので、必然的に折畳まれ、座板７の旋回が可能になる。
【００１３】
車椅子と座板７間の移乗のときと、座板７と便座や浴室用椅子との移乗のときとで、異なる位置にグリップを設けたいときは、複数のグリップ４３が設けられることとなる。このとき、昇降筒５２は一個のみとし、一個の昇降筒５２にそれぞれのグリップを支持する複数の連結杆５５を連結することにより、複数のグリップ支持機構Ｂが一個の昇降筒５２を共有する構造にできる。このようにすれば、どのグリップを展開したときでも当該グリップの展開位置の規定や座板７の固定が可能になる。一個のグリップを展開したときに他のグリップも展開されるのを避けたいときは、各連結杆５５を伸長可能にするか、昇降筒５２に各連結杆５５を相対上動可能に連結する構造とすれば良い。
【００１４】
車椅子と旋回移動台１０との間の移乗は、入口開口４の外に進出した座板７との間で行う。座板７に移乗した後、座板７を支持柱２５回りに室内へと旋回すれば、座板７は入口開口４を通って室内へと移動するから、室内で便座２０や浴槽ないし浴室用椅子に移乗する。
【００１５】
入口開口４と室内の移乗先（便座や浴室用椅子など）２０との距離の差は、座板７の支持柱２５回りの旋回量により吸収できる。座板７がドア３と干渉しない位置に旋回したとき、ドア３を閉めることができる。移乗先２０と入口開口４との距離が近い場合には、移乗先２０に移乗してからドア３を閉める。座板７は、旋回途中のどの位置ででも立設状態にでき、立設状態とすることでドア３との干渉を回避できる。
【００１６】
座板７の折畳み構造は、種々の構造が可能である。一般的な構造として、支持柱２５から軸直角方向に伸びる旋回桁１１や旋回枠１２の横棒に座板７の後縁（室内へと旋回するときに前方となる縁）側又は前縁（入口開口から外へと旋回するときの前方となる縁）側を上方に揺動自在に枢着し、水平及び垂直位置を保持するストッパや脚８、９を設ける。後縁側を枢着する（前縁側を持上げて折畳む）構造が、入口開口４からの座板７の突出量を大きくできる点でより優れている。
【発明の効果】
【００１７】
この発明の旋回移動台１０は、折り畳んだときに座板７及びこれを支持する旋回桁１１、ステイ５、脚８、９などの旋回移動台１０を構成する総ての部材が当該旋回移動台を設置したトイレや浴室の壁面２に添設された状態となり、かつトイレや浴室の入口開口４から壁面２側へと退避する。一方、座板７を展開して入口開口４側に旋回したときは、座板７全体ないし少なくとも座板７の入口開口４側の部分が、トイレや浴室の入口開口４の外へと進出する。旋回移動台１０と車椅子間での移乗は、この進出した部分で行うことができ、従って車椅子をトイレや浴室内に乗り入れることなく移乗できる。旋回移動台１０に移乗すれば、その座板７の旋回により、便器や浴室内の所望の位置へ座位を保持したまま移動して行くことができ、その移動先で便器や浴室用椅子などに移乗できる。
【００１８】
また、この発明の旋回移動台は、座板７を旋回自在に支持する支持柱２５に折畳み可能なグリップ４３を備えているので、車椅子や便座とこの発明の旋回移動台との間の移乗が容易になる。更に、支持柱２５を設置することで座板７とグリップ４３が設置できるので、グリップを別途設置する必要がなく、壁面２に十分な強度がない場合に特に有効である。またグリップ４３の展開／折畳み動作と座板７の旋回固定／固定解除動作とを連動させることが容易に可能で、車椅子や便座などと旋回移動台１０との間の移乗をより容易にすることができる。
【００１９】
この発明の旋回移動台１０は、一般家庭の狭いトイレにも簡単に設置することができ、旋回途中又は便座２０や浴室内の浴槽や浴室用椅子に移動した後、入口開口４を閉鎖することができ、遮蔽性を確保できる。旋回移動台１０を折り畳むと壁面に添設した状態となるので、健常者がトイレや浴室を使用するときの邪魔にならない。
【発明を実施するための最良の形態】
【００２０】
以下、図面を参照して、この発明の実施形態を説明する。図１〜４は、この発明の旋回移動台をトイレに設置した第１実施例を示した図で、図１は座板とグリップの展開（座れるようにし、握れるようにした）状態を、図２は折畳み状態を示した斜視図である。図には、トイレの床面１と一方の（旋回移動台を設置した側の）壁面２を実線で示し、天井面と対向する壁面を想像線で示してある。３はドアであり、４がトイレの入口開口となる。
【００２１】
入口開口４の一方の縦縁４ａの内側にパイプ材からなる支持柱２５が突っ張り構造で立設されている。支持柱２５は、ターンバックル（図示されていない）を備え、当該ターンバックルのねじ作用により、その上下端を床面１と天井面に押し付けて、固定されている。支持柱２５の上下端には、床面１及び天井面の保護とこれらの面の摩擦固定力を増強する当板２６が設けられている。
【００２２】
支持柱２５の上部と下端には、パイプ材からなる回転筒１３ａ、１３ｂが回動自在に挿通され、鉛直方向の旋回柱１４とその上下端から水平に伸びる上旋回桁及び下旋回桁とを備えた旋回枠１２が、その上下の旋回桁の基端を回転筒１３ａ、１３ｂに固着して設けられている。下旋回桁１５は、旋回柱１４の下端を越えて延長されており、その先端には、座板７の旋回半径方向の軸回りに自由回転して床面１上を転動する車輪２３が装着されている。
【００２３】
旋回柱１４の展開したときの座板７の高さとなる位置に、ストッパ２２が固定され、その上方に昇降体１６が旋回柱１４に昇降自在に挿通されている。昇降体１６には、水平な後縁支持ピン１７が固定され、この後縁支持ピン１７に座板支持枠６の後端が上下揺動自在に連結されている。
【００２４】
旋回柱１４の下端部には、下旋回桁１５と平行な支点ピン１８が固定され、ステイ５の下端がこの支点ピン１８で旋回枠１２の枠面と直交する方向に揺動自在に枢支されている。ステイ５の上端には、水平な前縁支持軸１９が固定され、この前縁支持軸１９に座板支持枠６の前端が上下揺動自在に連結されている。座板７は、座板支持枠６に固定して設けられている。
【００２５】
図１の座板の展開状態では、ステイ５が前方（壁面２から離れる方向）に揺動し、昇降体１６がストッパ２２に当接する位置まで下降し、座板７がストッパ２２とステイ５で水平に支持された状態となる。この展開状態で座板７を支持柱２５回りに入口開口４側に旋回することにより、座板７がトイレの入口開口４の外側に進出する。壁面２が入口開口４と直交する方向であるときは、座板７の旋回角は略９０度であり、壁面２が入口開口４と同一の面内にあるときは、座板７の旋回角は略１８０度である。従って、回転筒１３ａ、１３ｂを中実の棒材として、支持柱２５に添わせて軸支する構造としても良い。
【００２６】
座板の折畳み状態では、旋回枠１２が壁面２に添設される位置まで旋回し、ステイ５が後方（壁面２側）に揺動し、昇降体１６が上昇して、座板７がその座面を室内に向けて壁面２に添設された状態となる。座板７は、旋回位置のどの位置においても立設状態とすることができる。
【００２７】
座板７の展開位置より上方の位置には、グリップ座４１が、支持柱２５に固定して設けられている。グリップ座４１には、水平方向のグリップ支点ピン４２が固定され、このグリップ支点ピン４２に基端を上下回動自在に枢着して、グリップ４３が設けられている。
【００２８】
この実施例では、図４に詳細を示すように、グリップ支点ピン４２は、支持柱２５の背後側（グリップ４３の反対側）に、グリップ座４１の両側に突出させて設けられている。グリップ４３の基端両側には、グリップ座４１を挟んで両側に枢支板４４が固定され、この枢支板４４が、グリップ４３の展開高さより高い位置で、グリップ支点ピン４２に枢着されている。グリップ４３は、グリップ支点ピン４２回りに９０度上方に回動して折畳んだとき、支持柱２５と平行になり、グリップ４３を展開したとき、２枚の枢支板４４の間に位置するグリップ４３の基端がグリップ座４１に当接して、グリップ４３の水平状態が保持される。
【００２９】
車椅子使用者がトイレを使用するときは、車椅子でトイレの入口近くまで移動し、トイレのドア３を開け、入口開口４に隣接する壁面２に折畳まれている座板７を展開すると共に、支持柱２５に添うように折畳まれているグリップ４３を展開し、支持柱２５回りに座板７を入口開口４側に旋回する。この状態で座板７が入口開口４の外に進出するから、車椅子使用者は、車椅子の肘掛とグリップ４３とで身体を支えて、車椅子から旋回移動台の座板７に移乗し、グリップ４３を折畳んだ後、座板７を支持柱２５回りに壁側に旋回して、座板７を便座２０に接近させ、再びグリップ４３を展開し、当該グリップと便座２０の横に適宜設けた従来公知の手すりないし肘掛で身体を支えて、座板７から便座２０へと移乗する。
【００３０】
乗り捨てた車椅子がドア３の閉鎖時に干渉する虞があるときは、車椅子から座板７に移乗した後、手で干渉しない位置に車椅子を押し動かす。座板７が入口開口４の内側に移動した以降の任意の時点で、ドア３を閉めれば、トイレの遮蔽性が確保される。退出するときは、逆の動作で旋回移動台を経て車椅子に移乗し、旋回移動台１０を折り畳んでトイレのドア３を閉める。
【００３１】
図５〜７は第２実施例を示した図である。支持柱２５の下端部に、上端が座面高さの中空の回転筒１３が回転自在かつ下動不能に挿通されている。回転筒１３には、上下の旋回桁１１、１５を備えたコ字形の旋回枠１２が、その上下の旋回桁１１、１５の基端を回転筒１３の上下端に軸心を壁側に変位させて、固定して設けられている。そして、上旋回桁１１の軸回りに９０度上方に揺動可能に、座板支持枠６の後端が枢着され、この座板支持枠６に座板７が固定されている。座板支持枠６の前縁と下旋回桁１５とは、上下の水平ピン４６、４７に上下端を枢着された伸長ステイ４８で連結されている。伸長ステイ４８は、内筒４９を外筒５０に摺動自在に嵌装したいわゆるテレスコピック構造で、縮めたときの長さが座板７を展開状態で支える長さとなっている。
【００３２】
座板７は、上旋回桁１１回りに９０度上方へ揺動し、このとき伸長ステイ４８は、伸びて座板７の裏面に添設された状態となる。この第２実施例の座板７は、上旋回桁１１回りに９０度上方へ揺動し、旋回枠１２を壁面２に添設される位置に旋回することによって折り畳まれ、旋回桁１１回りに下方に揺動して水平姿勢とし、旋回桁１１を入口開口４側に旋回することによって入口開口４の外へ進出する。
【００３３】
回転筒１３の上方には、グリップ座４１が、支持柱２５に固定して設けられ、そのグリップ座４１と回転筒１３の上端との間に、昇降筒５２が支持柱２５に昇降自在に設けられている。グリップ座４１には、水平方向のグリップ支点ピン４２が回転自在に挿通され、このグリップ支点ピン４２に基端を固定して、グリップ４３が設けられている。
【００３４】
この実施例のグリップ４３は、前述した図４と同様に、グリップ支点ピン４２がグリップ座４１の支持柱２５の背後側に設けられ、グリップ４３の基端両側に固定した枢支板４４がグリップ４３の展開高さより高い位置で、グリップ支点ピン４２に枢着されている。
【００３５】
枢支板４４のグリップ４３との固定部には、上連結ピン５３が両外側に突出するように立設されている。一方、昇降筒５２の側面には、下連結ピン５４が両外側に突出するように立設されている。そして、上連結ピン５３と下連結ピン５４とが、支持柱２５の両側に位置する連結杆５５で連結されている。
【００３６】
上連結ピン５３の立設位置は、グリップ支点ピン４２よりグリップ側であり、従って、グリップ４３を上方に折畳むと昇降筒５２は上昇し、グリップ４３を展開すると昇降筒５２は下降する。回転筒１３の上端面と昇降筒５２の下端面には、互いに噛み合う放射状の多数の噛み合い溝が設けられている。昇降筒５２が下降してその噛み合い溝が回転筒１３の上端面の噛み合い溝と噛み合うことで、グリップ４３の水平位置が保持される。
【００３７】
昇降筒５２は、支持柱２５の両側に位置する２枚の連結杆５５及び枢支板４４で支持柱２５に固定したグリップ座４１に連結されているので、回動不能であるが、必要に応じて滑りキーや上下方向の長溝とこれに移動自在に嵌合するピンなどにより支持柱２５に相対回動不能に挿通する。
【００３８】
この第２実施例の構造では、グリップ４３を展開したときに座板７の旋回動作がロックされ、グリップ４３を折畳んだときに座板７の旋回動作が可能になる。グリップ４３は、車椅子と座板７間を移乗するとき、及び座板７と便座２０間を移乗すときに身体を支えるために展開して使用されるが、グリップ４３を握って移乗動作をする間、座板７の旋回動作が固定されるので、移乗をより容易に行うことができる。
【００３９】
図８〜１２は、この発明の第３実施例を示した図で、図８は座板の展開状態を、図９は座板の折畳み状態を示している。この第３実施例の構造では、支持柱２５の下端部に回転自在に挿通した回転筒１３の上端に軸直角方向の直交ピン３１が植立され、座板７の後縁側を支持する旋回桁１１の基端が直交ピン３１に上方に９０度回動可能に枢支され、この旋回桁１１に座板７が旋回桁１１回りに上方に９０度揺動可能に支持されている。
【００４０】
すなわち、支持柱２５の下端部に回動自在に嵌装した回転筒１３の上端に水平方向の直交ピン３１が植立され、この直交ピン３１には、旋回桁１１の基端が、回動角を９０度に規制して、上方に９０度回動可能に支持されている。旋回桁１１には、回動角を９０度に規制して、座板支持枠６の後縁（壁に近い側の縁）が上方に９０度回動可能に支持され、この座板支持枠６に座板７が固定されている。
【００４１】
旋回桁１１は、座板支持枠６の後縁を回動自在に貫通しており、その先端に後脚９の基端が、直交ピン３１と平行なピン３６回りに揺動可能に懸垂されている。そして、回転筒１３の上端に固定したレバー３７の先端と後脚９に固定したレバー３８の先端とが、連結棒３９で枢支連結されて、平行リンク機構３４を形成している。
【００４２】
一方、座板支持枠６の前端側（反後縁側）には、前脚８の基端が、旋回桁１１と平行なピン３５回りに揺動可能に懸垂されている。そして、旋回桁１１に固定したレバー２７の先端と前脚８に固定したレバー２８の先端とが連結棒２９で枢支連結されて、平行リンク機構２４を形成している。後脚９及び前脚８の下端には、床面１上を支持柱２５を中心とする円周上を転動する車輪２３が軸支されている。
【００４３】
回転筒１３の上方には、第２実施例と同様に、グリップ座４１が支持柱２５に固定して設けられ、そのグリップ座４１と回転筒１３の上端との間に、昇降筒５２が支持柱２５に昇降自在かつ回転不能に設けられている。グリップ座４１には、水平方向のグリップ支点ピン４２が異なる方向に２本立設され、それぞれのグリップ支点ピン４２、４２に基端を枢着して、異なる方向に展開する２枚のグリップ板５７、５７が設けられている。一方、昇降筒５２には、グリップ座４１に設けた２本のグリップ支点ピン４２、４２とそれぞれ同方向にして、２本の下連結ピン５４、５４が植立されている。
【００４４】
２本のグリップ支点ピン４２は、それぞれ支持柱２５の背後側に設けられ、２枚のグリップ板５７がグリップ４３の展開高さより高い位置で、グリップ支点ピン４２に枢着されている。
【００４５】
グリップ板５７の先端側には、ゴム質の材料からなるグリップ４３が、グリップ板５７の先端側に挿通して装着されている。グリップ板５７のグリップ４３の基端近い位置に、上連結ピン５３がグリップ支点ピン４２と平行に植立されている。そして、それぞれのグリップ板５７に設けた上連結ピン５３と昇降筒５２に設けた２本の下連結ピン５４とが、それぞれの連結杆５５、５５で連結されている。
【００４６】
２本のグリップ４３は、それぞれの連結杆５５で１個の昇降筒５２に連結されており、いずれかのグリップの展開折畳み動作により昇降筒５２が昇降するので、２個のグリップ４３は、同時に展開折畳みされ、両グリップ４３の展開位置は、昇降筒５２と回転筒１３との当接により規定され、回転筒１３の回動、従って座板７の旋回は、いずれかのグリップ４３を展開することにより固定される。グリップを複数本設ける構造により、車椅子と座板７間の移乗及び座板７と便座２０との間の移乗について、それぞれ最も適した位置にグリップを設けることができるという、有利な特徴が得られる。
【００４７】
上記構造において、座板７を旋回桁１１回りに水平位置に展開し、旋回桁１１を入口開口４側に旋回することにより、座板７が入口開口４の外に進出した状態となる。車椅子使用者は、この状態でグリップ４３を展開して車椅子から旋回移動台１０に移乗し、グリップ４３を折畳んで座板７を室内側へと回転筒１３回りに旋回して、便座２０側に移動し、グリップ４３を展開して、便座へと移乗する。旋回移動台１０を設置した壁面２が入口開口４と直交する壁面であるときは、座板７の支持柱２５回りの旋回角は０〜９０度であり、旋回移動台１０を設置した壁面２が入口開口４の延長上の壁面であるときは、座板７の支持柱２５回りの旋回角は９０〜１８０度である。便座２０が入口開口４に近いときは、旋回角が小さく、遠いときは旋回角が大きくなる。
【００４８】
ドア３は、座板７が入口開口４の内側に移動した後で手で閉鎖するが、ドアが内開きのときや座板７の旋回角が小さいときは、座板７から便座２０に移乗して座板７を立てた後でなければドア３を閉鎖することができないかもしれない。その場合は、便座２０とドア３とが近い位置にあるから、便座２０に移乗してから座板７を立設してドア３を閉鎖すればよい。
【００４９】
座板７は、旋回桁１１が入口開口４側にその面と平行に伸びている状態で座板７を上方に９０度回動し、更に直交ピン３１回りに上方に９０度回動することにより、座面を室内側にして壁面２に添設された状態で折畳まれる。このとき、平行リンク機構２４の作用により、前脚８は座板支持枠６の裏面に添設され、更に直交ピン３１回りの回動により横倒し状態で壁面２と座板支持枠６との間に納められる。また、平行リンク機構３４の作用により、後脚９は鉛直姿勢となった旋回桁１１に沿った位置に折畳まれる。
【００５０】
この第３実施例のものは、旋回桁１１を壁面２に添設する位置に回動し、座板７を旋回桁１１回りに上方に揺動することにより、座板７の裏面を室内側に向けて、壁面２に添設した状態で折畳むこともできる。すなわち、座板７が入口開口４の外に進出した進出位置と座板７が入口開口４の内側に退避した退避位置とで座板７を折畳むことができる。入口開口４の外で車椅子に乗っているときに進出位置で折畳まれた座板７を展開し、便座２０に移動した状態では退避位置で折畳み及び展開し、旋回移動台１０から車椅子に移乗した後に進出位置で折畳むという操作により、座板７の折畳み展開操作が容易になる。
【００５１】
上記の第３実施例は、直交ピン３１回りに上方に回動する旋回桁１１に座板７の後縁側の縁を揺動自在に連結した構造であるが、同様な構造の旋回桁１１に座板７の前縁（旋回方向進出側の縁）を上下揺動自在に連結した構造とすることもできる。この場合は、座板７を旋回桁１１回りに上方に９０度揺動し、旋回桁１１が入口開口４側に伸びている状態で、旋回桁１１を直交ピン３１回りに上方に９０度回動することにより、座板７が裏面を室内側にして折畳まれる。
【００５２】
以上はトイレにこの発明の旋回移動台を設置した例を説明したが、浴室や洗面室など、車椅子を乗り入れることが困難な狭い室内に車椅子使用者が出入りする手段として、この発明の旋回移動台を用いることができる。旋回移動台を設ける室の壁が十分に強固であれば、支持柱２５を当該壁と床面とで支持して、更には壁のみで支持して設けることができる。また、グリップ４３を展開したときに座板７の旋回を固定する構造として、上記の例のように噛み合い溝を設けないで当接面に設けた摩擦体の摩擦力で固定する構造や、コレットチャックに使用されているような、昇降筒の軸方向の動きで回転筒１３と昇降筒５２との当接部に設けた半径方向に開閉される爪を縮径して支持柱２５に押し付けることにより回転を固定する構造などを採用することができる。
【図面の簡単な説明】
【００５３】
【図１】第１実施例を座板の展開状態で示す斜視図
【図２】第１実施例を座板の折畳み状態で示す斜視図
【図３】旋回に伴う第１実施例の座板の移動を示す平面図
【図４】第１実施例のグリップの支持構造を示す側面図
【図５】第２実施例を展開状態で示す斜視図
【図６】第２実施例を折畳み状態で示す斜視図
【図７】第２実施例のグリップの支持構造を示す側面図
【図８】第３実施例を展開状態で示す斜視図
【図９】第３実施例を折畳み状態で示す斜視図
【図１０】第３実施例の座板の移動を示す平面図
【図１１】第３実施例のグリップの支持構造を示す側面図
【図１２】第３実施例のグリップの支持構造を示す平面図
【符号の説明】
【００５４】
２  壁面
３  ドア
４  入口開口
５  ステイ
６  座板支持枠
７  座板
８  前脚
９  後脚
10  旋回移動台
11  旋回桁
12  旋回枠
13  回転筒
16  昇降体
24  平行リンク機構
25  支持柱
31  直交ピン
34  平行リンク機構
42  グリップ支点ピン
43  グリップ
48  伸長ステイ
55  連結杆
Ａ  旋回支持機構
Ｂ  グリップ支持機構
【図１】
2010119458.tif 000003
【図２】
2010119458.tif 000004
【図３】
2010119458.tif 000005
【図４】
2010119458.tif 000006
【図５】
2010119458.tif 000007
【図６】
2010119458.tif 000008
【図７】
2010119458.tif 000009
【図８】
2010119458.tif 000010
【図９】
2010119458.tif 000011
【図１０】
2010119458.tif 000012
【図１１】
2010119458.tif 000013
【図１２】
2010119458.tif 000014